(57)【要約】【課題】薬剤による蓋の劣化を抑制できる揮散装置を提供する。【解決手段】本発明の揮散装置１０は、揮発性を有する薬剤を収容した容器１の開口部の縁に嵌合する環状に連続した周壁２２と、揮散孔２１を有して周壁の軸方向の一端に連続し、開口部に対向した天壁２４と、周壁と天壁の間に設けたスリット２６と、を有する。【選択図】図１
2018094230.tif 000002
【特許請求の範囲】
【請求項１】
揮発性を有する薬剤を収容した容器の開口部の縁に嵌合する環状に連続した周壁と、
揮散孔を有して前記周壁の軸方向の一端に連続し、前記開口部に対向した天壁と、
前記周壁と前記天壁の間に設けた不連続部分と、
を有することを特徴とする揮散装置。
【請求項２】
前記不連続部分は、前記周壁の前記一端につながる前記天壁の外周部に沿って該天壁を貫通して設けられたスリットであることを特徴とする請求項１に記載の揮散装置。
【請求項３】
前記スリットは、前記外周部に沿って等間隔で複数設けられていることを特徴とする請求項２に記載の揮散装置。
【請求項４】
前記揮散孔の開度を調節する調節板と、
前記調節板を前記天壁に対して移動可能に保持した保持爪と、をさらに有し、
前記スリットは、前記保持爪に対向する位置に設けられていることを特徴とする請求項２または請求項３に記載の揮散装置。
【請求項５】
前記周壁の内面および前記天壁の内面を一体につないだリブをさらに有し、
前記スリットは、前記リブに対して周方向に外れた位置に設けられていることを特徴とする請求項２乃至４のいずれか一項に記載の揮散装置。
【発明の詳細な説明】
【技術分野】
【０００１】
本発明は、例えば、リモネンなどの油性成分を溶媒として含む芳香剤などを揮散させるための揮散装置に関する。
【背景技術】
【０００２】
従来、芳香剤を揮散する装置として、芳香剤を収容した容器の開口部に開度を調節可能な蓋を設けた揮散装置が知られている。芳香剤の溶媒には、例えば、リモネンなどの油性成分が用いられる。特にリモネンは、揮散性薬剤の溶媒として利用可能であるだけでなく、柑橘系の香りを有していることからゲル化させた芳香剤の形態で用いられることがある。しかし、リモネンをはじめ一部の油性成分は、樹脂を膨潤させる場合があり、揮散装置の容器に樹脂を用いた場合、容器が油性成分の膨潤により変形してしまう可能性がある。
【０００３】
このため、薬剤を収容する樹脂製の容器の内面にリモネンの浸透を防止するためのバリア層を設けた揮散装置が知られている。
【先行技術文献】
【特許文献】
【０００４】
【特許文献１】特開２００３−２２５２９５号公報
【発明の概要】
【発明が解決しようとする課題】
【０００５】
リモネンなど、樹脂を膨潤させやすい油性成分を含む薬剤を使用する場合、上述した問題を考慮すると、金属缶やガラス瓶を容器として用いることが望ましい。この場合、薬剤の揮散速度を調整したり、使用中の薬剤に異物が混入することを防ぐため、金属缶やガラス瓶を開封した後、容器の開口部に揮散孔を有する蓋を取り付ける必要がある。金属缶やガラス瓶の開口部に取り付ける蓋としては、その着脱性を考慮すると、例えばポリプロピレン（ＰＰ）などの比較的柔らかい樹脂製の蓋が適している。
【０００６】
しかし、ＰＰ製の蓋は、上述したリモネンなどの油性成分により膨潤し、経時的に変形して柔らかくなり、体積が膨張することが知られている。このため、樹脂を膨潤させやすい油性成分を含む芳香剤の容器の蓋にＰＰ製の蓋を用いた場合、使用開始後、蓋が経時的に劣化（軟化）して、容器との嵌合が緩くなる、一部に変形が生じるといった不具合を生じる。
【０００７】
本発明は、上記の点に鑑みてなされたもので、薬剤による蓋の劣化を抑制できる揮散装置を提供することを目的とする。
【課題を解決するための手段】
【０００８】
本発明の揮散装置の一態様は、揮発性を有する薬剤を収容した容器の開口部の縁に嵌合する環状に連続した周壁と、揮散孔を有して周壁の軸方向の一端に連続し、開口部に対向した天壁と、周壁と天壁の間に設けた不連続部分と、を有する。
【発明の効果】
【０００９】
本発明の一態様によれば、薬剤による蓋の劣化を抑制できる。
【図面の簡単な説明】
【００１０】
【図１】図１は、第１の実施形態に係る揮散装置を容器に取り付けた状態を示す外観図である。
【図２】図２は、図１の揮散装置の蓋体を示す斜視図である。
【図３】図３は、図２の蓋体の底面図である。
【図４】図４は、図１の揮散装置の調節板を示す斜視図である。
【図５】図５は、図１の揮散装置をＶ−Ｖ線に沿って切断した部分拡大断面図である。
【図６】図６は、第２の実施形態に係る揮散装置の蓋体を示す斜視図である。
【図７】図７は、第２の実施形態に係る揮散装置の調節板を示す斜視図である。
【発明を実施するための形態】
【００１１】
以下、本発明の実施形態について図面を参照して説明する。  
図１は、第１の実施形態に係る揮散装置１０を容器１の開口部（図示せず）に取り付けた状態を示す外観図である。容器１は、例えば有底円筒形の金属缶により形成されており、揮発性を有するゲル状の芳香剤（薬剤）を収容している。本実施形態では、芳香剤は、リモネンなどの樹脂を膨潤させやすい油性成分を含む。このため、油性成分の膨潤の問題が生じない金属缶を容器１に用いることが望ましい。容器１は、芳香剤の揮散が不用意に開始しないように密閉した状態で出荷される。そして、容器１の上端にある缶蓋（図示せず）を開封した後、容器１の開口部に揮散装置１０が取り付けられ、揮散装置１０の使用が開始される。
【００１２】
揮散装置１０は、容器１の開口部に着脱可能に取り付けられる蓋体２、および蓋体２の複数の揮散孔２１の開度を調節するための調節板４を有する。調節板４は、その回動の途中で、蓋体２の複数の揮散孔２１にそれぞれ一対一で重なることができる複数の調節孔４１を有する。つまり、調節板４を蓋体２に対して回動させることで、各揮散孔２１と調節孔４１が重なる面積を変化させることができ、揮散孔２１の開口面積を調節することができる。揮散孔２１および調節孔４１の形状は任意に設計可能である。
【００１３】
図２は、蓋体２の斜視図であり、図３は、蓋体２の底面図である。また、図４は、調節板４の斜視図である。さらに、図５は、揮散装置１０を図１のＶ−Ｖ線で切断した部分拡大断面図である。蓋体２は、容器１に対する着脱容易性を考慮して、ポリプロピレン（ＰＰ）やポリアセタール（ＰＯＭ）により形成することが望ましい。以下、第１の実施形態に係る揮散装置１０について、図２乃至図５を参照して、より詳細に説明する。
【００１４】
図２および図３に示すように、蓋体２は、環状に連続した略円筒形の周壁２２、および上述した複数の揮散孔２１を有して周壁２２の軸方向の一端に連続した略円板状の天壁２４を一体に有する。周壁２２と天壁２４の間には、後述する複数（本実施形態では８つ）のスリット２６が蓋体２を貫通して設けられている。スリット２６は、蓋体２の不連続部分として機能する。スリット２６は、少なくとも１つ設ければよい。本実施形態では、蓋体２（すなわち周壁２２および天壁２４）は、ポリアセタール（ＰＯＭ）により形成されている。
【００１５】
一方、容器１の開口部の縁は、外側に折り返された円環状の折返し部１ａ（図５に破線で示す）を有している。つまり、容器１の開口部の縁は、胴部の外径よりわずかに大きい外径を有する。折返し部１ａは、蓋体２を嵌合するための環状突起として機能する。
【００１６】
周壁２２の内径は、容器１の開口部の縁（折返し部１ａ）の外径よりわずかに大きい。周壁２２の内面には、容器１の開口部の縁にある折返し部１ａに係合せしめるための円環状の凸条部２２ａが設けられている。凸条部２２ａの内径は、折返し部１ａの外径と略同じか或いはわずかに小さい。
【００１７】
蓋体２を容器１の開口部に取り付ける場合、周壁２２の内側に開口部の縁を挿入し、蓋体２を容器１の開口部に押し付ける。蓋体２を一定以上の力で容器１の開口部に押し付けると、周壁２２の内面に設けた凸条部２２ａが容器１の開口部の縁にある折返し部１ａを押圧し、蓋体２が容器１の開口部に嵌合される。蓋体２を容器１の開口部から取り外す場合には、周壁２２の外側に突出した把持片２２ｃを指で引き上げる。
【００１８】
天壁２４は、図１に示す状態で、容器１の開口部に対向する。本実施形態では、複数の揮散孔２１は、天壁２４の径方向に延びて放射状に設けられている。天壁２４の下面側の外周部近くには、円環状の内壁２２ｂが一体に突設されている。内壁２２ｂは、周壁２２より一回り小さな外径を有し、周壁２２より突出高さが低い。
【００１９】
天壁２４の上面側には、調節板４を収容配置するための円形の凹所２４ａが設けられている。複数の揮散孔２１は、この凹所２４ａの底に設けられている。凹所２４ａの外周縁には、凹所２４ａ内に収容配置した調節板４の上面側の外周縁部を押さえる複数（本実施形態では３つ）の保持爪２５が内側に向けて凹所２４ａの底と平行に突設されている。調節板４は、複数の保持爪２５の弾性変形を伴って凹所２４ａ内に押し込められる。
【００２０】
蓋体２の内面側には、周壁２２の内面と天壁２４の内面をつなぐ径方向に延びた複数（本実施形態では８つ）のリブ２３が一体に設けられている。リブ２３は、周方向に等間隔で設けられている。リブ２３は、周壁２２と内壁２２ｂの間に設けられている。言い換えると、各リブ２３は、周壁２２の内面および天壁２４の内面に加えて内壁２２ｂの外周面にもつながっている。
【００２１】
周壁２２と天壁２４の間に設けた複数のスリット２６は、周壁２２の軸方向の一端につながる天壁２４の外周部に沿って、天壁２４を貫通して設けられている。複数のスリット２６は、天壁２４の外周部に沿って等間隔で設けられている。複数のスリット２６は、周壁２２と天壁２４との間を分断した不連続部分として機能する。少なくとも１つのスリット２６を周壁２２と天壁２４の間に設けることで、容器１の開口部に対向した天壁２４に浸透した薬液が周壁２２に伝わり難くなり、周壁２２の膨潤を抑制でき、周壁２２の容器１に対する嵌合状態が緩む不具合を防止することができる。
【００２２】
また、本実施形態のように、スリット２６を周壁２２に設けるのではなく天壁２４に設けることで、周壁２２の剛性を保つことができ、周壁２２の変形を抑制することができる。
【００２３】
また、本実施形態では、スリット２６を調節板４の保持爪２５に対向する位置に配置した。これにより、保持爪２５に対向した周壁２２の部位における剛性を他の部位より高くすることができ、保持爪２５による調節板４の保持状態を変化し難くすることができ、調節板４の脱落を防止することができる。
【００２４】
さらに、本実施形態では、スリット２６を、周壁２２と天壁２４をつないだリブ２３に対して周方向に外れた位置に設けた。これにより、リブ２３の無い周壁２２の比較的剛性の低い部位における薬剤の周壁２２への浸透を抑制でき、周壁２２の剛性低下を効果的に抑制することができる。
【００２５】
図４に示すように、調節板４は、その上面４ａに複数の隆起部分４２を有する。隆起部分４２は、調節板４を回す際に指を引っ掛けるためのものである。複数の隆起部分４２は、複数の調節孔４１に対応して、調節板４の回転方向に沿って各調節孔４１の同じ側に設けられている。本実施形態では、隆起部分４２の形状は、調節孔４１の縁形状に沿ったものになっているが、必ずしも調節孔４１の形状に合わせる必要はなく、省略してもよい。
【００２６】
以上のように、第１の実施形態によると、揮散装置１０の蓋体２の周壁２２と天壁２４の間にスリット２６を設けたため、この部位が周壁２２と天壁２４の間の不連続部分として機能し、容器１の開口部に対向した天壁２４に浸透した油性成分が周壁２２に伝わり難くすることができる。これにより、周壁２２の膨潤による膨張を抑制でき、蓋体２の脱落を防止することができる。周壁２２の膨潤の問題を考慮するとスリット２６はできるだけ多く設けた方がよいが、蓋体２の剛性を保つ必要があるため、スリット２６の数および長さは適宜調整する必要がある。
【００２７】
また、本実施形態によると、調節板４を蓋体２の凹所２４ａ内に保持せしめる保持爪２５に対向する位置にスリット２６を設けたため、保持爪２５に対向する周壁２２の部位における膨潤を抑制でき、この部位における周壁２２の剛性を保つことができ、保持爪２５が調節板４から外れ難くすることができる。これにより、蓋体２の天壁２４に薬剤の油性成分が浸透した場合であっても、調節板４が脱落し難くすることができる。
【００２８】
さらに、本実施形態によると、蓋体２の周壁２２の内面と天壁２４の内面をつないだリブ２３が無い位置、すなわちリブ２３に対して周方向にずれた位置にスリット２６を設けたため、比較的剛性の低い周壁２２の部位がさらに油性成分の浸透によって膨張して軟化する不具合を防止でき、周方向に沿って平均的に周壁２２の剛性を保つことができる。
【００２９】
図６は、第２の実施形態に係る揮散装置の蓋体１１２を示す斜視図であり、図７は、第２の実施形態に係る揮散装置の調節板１１４を示す斜視図である。  
第２の実施形態の揮散装置は、複数の揮散孔１２１を有する蓋体１１２と、複数の調節孔１４１を有する調節板１１４と、を備えている。本実施形態の揮散装置は、蓋体１１２の揮散孔１２１の形状が蜘蛛の巣状であり、調節板１１４の調節孔１４１の形状が蜘蛛の巣状であり、調節板１１４の上面に隆起部分を持たない。これ以外の構成は、上述した第１の実施形態の揮散装置１０と略同じであるため、第１の実施形態の揮散装置１０と同様に機能する構成要素には同一符号を付してその詳細な説明を省略する。
【００３０】
本実施形態の揮散装置も、蓋体１１２の周壁２２と天壁２４の間に複数のスリット２６を備えている。このため、第２の実施形態に係る揮散装置においても、第１の実施形態の揮散装置１０と同様の効果を奏することができる。
【００３１】
以上、いくつかの実施形態に基づいて本発明を説明したが、本発明は、上述した実施形態に限定されるものではなく、本発明の要旨の範囲内で種々の変形や応用が可能なことは勿論である。
【符号の説明】
【００３２】
１…容器、  ２…蓋体、  ４…調節板、  １０…揮散装置、  ２１…揮散孔、  ２２…周壁、  ２２ｂ…内壁、  ２３…リブ、  ２４…天壁、  ２４ａ…凹所、  ２５…保持爪、  ２６…スリット、  ４１…調節孔、  ４２…隆起部分。
【図１】
2018094230.tif 000003
【図２】
2018094230.tif 000004
【図３】
2018094230.tif 000005
【図４】
2018094230.tif 000006
【図５】
2018094230.tif 000007
【図６】
2018094230.tif 000008
【図７】
2018094230.tif 000009